(57)【特許請求の範囲】
【請求項１】
揚送パイプの下方部からパチンコ球と研磨ペレットを導入してパチンコ球を研磨しながら揚送すると共に、揚送パイプの上方部に選別装置を設けてパチンコ球と研磨ペレットを分離し、その分離された研磨ペレットを循環パイプにより揚送パイプに還流させて循環使用するパチンコ球揚送研磨機において、
除湿器と、該除湿器から排出される水を貯留する貯水タンクと、循環パイプの途中に設けられ分離された研磨ペレットを貯留するペレット貯留部と、貯水タンクの水とペレット貯留部の研磨ペレットを導入すると共に、洗剤を混入して攪拌洗浄する正逆回転可能な洗濯ドラム槽と、該洗濯ドラム槽の洗濯後の水を貯水タンクに回収するポンプ装置と、洗濯ドラム槽の洗濯後の研磨ペレットを乾燥する乾燥手段とを備え、洗濯ドラム槽を逆回転させることにより研磨ペレットを洗濯ドラム槽から排出して揚送パイプに還流させるようにしたことを特徴とするパチンコ球揚送研磨機における研磨ペレット洗濯装置。
【発明の詳細な説明】
【０００１】
【発明の属する技術分野】
本発明は、パチンコ球を合成樹脂材からなる研磨ペレットで研磨しながら揚送するパチンコ球揚送研磨機に関し、特に分離された研磨ペレットを洗濯により清浄化した後、パチンコ球揚送研磨機に還流して循環使用するようにしたパチンコ球揚送研磨機における研磨ペレット洗濯装置に関するものである。
【０００２】
【従来の技術】
従来、パチンコ球を研磨ペレットで研磨しながら揚送するパチンコ球揚送研磨機において、研磨ペレットの表面に付着した汚れを切削によって除去した後、還流させるようにしたものが知られていた（例えば特開昭５９−８０２７６号公報，特開昭６３−１５３０８７号公報参照）。
【０００３】
【発明が解決しようとする課題】
上記した従来のパチンコ球揚送研磨機は、研磨ペレットに付着した汚れを切削によって除去するものであるから、研磨ペレットの消耗が激しく短期間で交換を余儀なくされて非常に不経済であるという問題点があった。また、研磨ペレットの汚れはパチンコ球に付着した手垢等のように油脂性のものが多く、このため従来のような表面切削式の清浄装置では十分な浄化処理ができないという問題点があった。
【０００４】
一方、このような問題点の解決策として、研磨ペレットを洗濯によって清浄にする方法が考えられる。この洗濯による清浄方法では、洗濯水の供給や洗濯後の排水処理等に大掛かりな設備が必要とされることからコストが嵩みこれまで実用化が困難とされていた。
【０００５】
本発明は、上記のような問題点に鑑みてなされたもので、その目的とするところは、簡単な構成で研磨ペレットを洗濯することができ、しかも洗濯後の研磨ペレットを循環使用することができるようなパチンコ球揚送研磨機における研磨ペレット洗濯装置を提供することである。
【０００６】
【課題を解決するための手段】
上記した目的を達成するために、本発明は、揚送パイプの下方部からパチンコ球と研磨ペレットを導入してパチンコ球を研磨しながら揚送すると共に、揚送パイプの上方部に選別装置を設けてパチンコ球と研磨ペレットを分離し、その分離された研磨ペレットを循環パイプにより揚送パイプに還流させて循環使用するパチンコ球揚送研磨機において、除湿器と、該除湿器から排出される水を貯留する貯水タンクと、循環パイプの途中に設けられ分離された研磨ペレットを貯留するペレット貯留部と、貯水タンクの水とペレット貯留部の研磨ペレットを導入すると共に、洗剤を混入して攪拌洗浄する正逆回転可能な洗濯ドラム槽と、該洗濯ドラム槽の洗濯後の水を貯水タンクに回収するポンプ装置と、洗濯ドラム槽の洗濯後の研磨ペレットを乾燥する乾燥手段とを備え、洗濯ドラム槽を逆回転させることにより研磨ペレットを洗濯ドラム槽から排出して揚送パイプに還流させるようにしたものである。
【０００７】
前記貯水タンクには、濾過用フィルターを設け、ポンプ装置によって洗濯ドラム槽から貯水タンクに回収する洗濯水を濾過するようにするのが好ましい。
【０００８】
また、貯水タンクに水位スイッチを設け、貯水タンク内の水が規定水位まで溜まると除湿器の運転を停止するようにするのが好ましい。
【０００９】
さらに、洗濯後の研磨ペレットを乾燥する乾燥手段としては、パチンコ球揚送研磨機に設置された集塵ブロワーの排気熱を利用するか、又は温風ヒーターを設けるようにすればよい。
【００１０】
【発明の実施の形態】
次に、図面を参照して本発明の実施の形態について説明する。図１は本発明に係る研磨ペレット洗濯装置を備えたパチンコ球揚送研磨機の一部を断面にして示す正面図、図２は研磨ペレット洗濯装置部分を拡大して示す断面図、図３は洗濯ドラム槽部分の拡大断面図である。図において、１は基台，２は基台１の上面に垂直に設置された揚送パイプ、３は揚送パイプ２の下端に連通する横送りパイプ、４は揚送パイプ２内に挿入された螺旋状の第１球送りスプリング、５は揚送パイプ２の上端に設けられ、第１球送りスプリング４を回転する第１のモーター、６は前記横送りパイプ３内に挿入された螺旋状の第２球送りスプリング、７は第２球送りスプリング６を回転する第２のモーター、８は揚送パイプ２の上端開口部９に設けられた選別装置、１０は横送りパイプ３に設けられたパチンコ球Ｂの供給口、１１は合成樹脂材からなる研磨ペレットＰの供給口である。
【００１１】
前記選別装置８は、パチンコ球Ｂと研磨ペレットＰとを分離するためパチンコ球Ｂの径より小さい隙間の簀の子１２と、該簀の子１２から落下する研磨ペレットＰを受けるためのホッパー状の受け皿１３とにより構成されている。そして、受け皿１３の底部には分離された研磨ペレットＰを横送りパイプ３に還流する循環パイプ１４が接続されると共に、網部材１５で仕切られた空間部１６と横送りパイプ３上に設置された集塵ブロワ１７とが吸引用パイプ１８を介して接続されている。
【００１２】
しかして、本発明の一実施の形態の研磨ペレット洗濯装置１９は、図２に示すように除湿器２０と、該除湿器２０の下方に設けられた貯水タンク２１と、ペレット貯留部２２と、支持枠２３に傾斜状に支持され、かつ正逆回転可能な洗濯ドラム槽２４と、洗濯水回収用のポンプ装置２５とから大略構成される。
【００１３】
前記除湿器２０は、排水管２６を貯水タンク２１の内部に臨ませて該貯水タンク２１に連通させている。すなわち、除湿器２０から排出される水を貯水タンク２１に貯留して洗濯水に利用するものである。また、ペレット貯留部２２は、分岐パイプ２７を介して循環パイプ１４に連通されると共に、底部に開閉シャッター２８を介して供給管２９を接続し、該供給管２９を洗濯ドラム槽２４の蓋部３０中心から内部に突出させている。
【００１４】
前記洗濯ドラム槽２４は、蓋部３０と底部の軸３１に装着した軸受３２，３３によって回転自在に支持される。また、支持枠２３には正逆回転用モーター３４が配設され、該モーター３４の出力軸３５と前記洗濯ドラム槽２４の軸３１に固着したプーリー３６，３７間に無端ベルト３８を掛架して正逆回転用モーター３４の駆動により正逆回転するようになっている。一方、洗濯ドラム槽２４の内周面には図３に示すように移送羽根３９を螺旋状に設け、上部には研磨ぺレット排出口４０を設けている。また、洗濯ドラム槽２４の下部には研磨ペレットが落下しない程度の小孔４１を多数穿設した隔板４２を設け、該隔板４２と底部との間に空間部４３を形成している。
【００１５】
前記ポンプ装置２５は、貯水タンク２１に隣接して設けられており、吸水管４４を前記供給管２９の内部を通して洗濯ドラム槽２４の空間部４３に臨ませ、吐水管４５を貯水タンク２１に連通させている。また供給管２９の内部には多数の噴射孔５０を有する送風管４６が挿通されており、該送風管４６と集塵ブロワ１７の排気口４７とをエアーパイプ４８によって連通させている。このエアーパイプ４７の途中には洗濯ドラム槽２４に送風したり遮断するための開閉弁４９が設けられている。
【００１６】
前記貯水タンク２１の底部には給水管５１が設けられており、該給水管５１は給水用電磁弁５２を介して供給管２９に連通されている。また、貯水タンク２１には、該貯水タンク２１に貯留される水が規定水位に達すると除湿器２０の運転を停止する水位スイッチ５３と、濾過フィルター５４とが設けられている。
【００１７】
５５は洗濯ドラム槽２４の研磨ペレット排出口４０から排出される洗濯後の研磨ペレットＰを貯留する貯留部、５６は貯留部５５の底部に設けられた開閉シャッターである。なお、前記洗濯ドラム槽２４の内部に位置する供給管２９には、研磨ペレットＰを攪拌するための攪拌片５７と、ペレット貯留部２２から供給される研磨ペレットを洗濯ドラム槽２４に落下させるための開口溝５８が設けられている。
【００１８】
次に、上記のように構成した本実施の形態の動作を説明する。第２のモーター７の駆動により第２球送りスプリング６が回転するとき横送りパイプ３内のパチンコ球Ｂと研磨ペレットＰはその第２球送りスプリング６によって混合されつつ揚送パイプ２内へ移送される。揚送パイプ２内へ移送されたパチンコ球Ｂと研磨ペレットＰは第１のモーター５の駆動により回転される第１球送りスプリング４によってさらに攪拌混合されつつ上端開口部９に向って上昇を続ける。パチンコ球Ｂと研磨ペレットＰが第１球送りスプリング４で攪拌混合されるとき、互いの接触摩擦によってパチンコ球Ｂの汚れが研磨ペレットＰに付着し、或いは除去されて研磨される。このようにして、揚送パイプ２の上方に達したパチンコ球Ｂと研磨ペレットＰは開口部９から選別装置８の簀の子１２上に送り出されて分離され、パチンコ球Ｂは図示しない補給系路を介してパチンコ機へ補給されると共に、汚れた研磨ペレットＰは簀の子１２の隙間から受け皿１３に落下して循環パイプ１４により横送りパイプ３へ還流される。この際に、一部の研磨ペレットＰが分岐パイプ２７を介してペレット貯留部２２に導かれて貯留される。
【００１９】
しかして、ペレット貯留部２２に貯留された研磨ペレットＰを洗濯するには、開閉シャッター２８を開放し、供給管２９を介して洗濯ドラム槽２４内に一定量の研磨ペレットＰを供給した後、開閉シャッター２８を閉じる。一方、給水用電磁弁５２を開放し、貯水タンク２１の水を給水管５１，供給管２９を介して洗濯ドラム槽２４内に供給する。洗濯ドラム槽２４内に一定量の水が供給されると給水用電磁弁５２を閉じて給水を停止する。なお、貯水タンク２１内にはあらかじめ泡立ちが少なくすすぎを必要としない洗剤、例えば水素と酸素イオンを発生して水を活性化するような特殊洗剤をつけ置きしておく。
【００２０】
この状態でモーター３４を駆動して洗濯ドラム槽２４を回転させ、以って研磨ペレットＰの洗濯を開始する。洗濯ドラム槽２４が回転すると、これの内周面の螺旋状の移送羽根３９によって研磨ペレットＰが底部方向への移送、落下運動を繰り返えすと同時に攪拌片５７によって攪拌されてきれいに洗われ完全に汚れが除去される。
【００２１】
そして、一定時間経過後ポンプ装置２５を作動して吸水管４４，吐水管４５を介して洗濯ドラム槽２４内の洗濯水を貯水タンク２１に回収する。この洗濯水の回収によって洗濯ドラム槽２４内の洗濯水が完全に無くなると開閉弁４９を開放して集塵ブロワ１７から熱風をエアーパイプ４８，送風管４６を介して洗濯ドラム槽２４に送り込む。これによって洗濯後の研磨ペレットＰは、洗濯時と同じように移送，落下運動を繰返えしながら素早く乾燥される。
【００２２】
このようにして乾燥が終了した時、モーター３４を逆回転して洗濯ドラム槽２４の回転方向を逆にすると、研磨ペレットＰは移送羽根３９によって洗濯時とは反対方向に移送されて研磨ペレット排出口４０から貯留部５５に送り出されて貯留され、開閉シャッター５６を開放することによって横送りパイプ３内に還流される。
【００２３】
上記した本実施の形態において、除湿器２０から排出される水を貯水タンク２１に常時貯留して洗濯水として確保すると共に、洗濯した後の水をポンプ装置２５によって貯水タンク２１に回収するようにしたので、洗濯水を供給するための水道管や洗濯後の水を排出するための排水管の配管等大掛かりな工事を一切行なわなくても済み、設備コストを著しく軽減することができる。
【００２４】
なお、本実施の形態では、洗剤を貯水タンク２１につけ置きするようにしたが、別の手段として洗剤収容タンクを設け、研磨ペレットＰの洗濯時に洗剤収容タンクの開閉シャッターを開閉して洗剤を洗濯ドラム槽２４に直接に投入するようにしてもよい。また、洗濯ドラム槽２４に隔板４２を設けて該隔板４２と底部との間に空間部４３を形成し、該空間部４３に吸水管４４を臨ませて洗濯水のみを回収するようにしたが、隔板４２に代えて吸水管４４の先端に研磨ペレットＰより小さい吸水孔を多数有する吸水ノズルを装着し、該吸水ノズルによって洗濯水のみを貯水タンク２１に回収するようにしてもよい。
【００２５】
さらに、本実施の形態では、集塵ブロワ１７からの送風で洗濯後の研磨ペレットを乾燥させるようにしたが、別の手段として温風ヒーター等を設けてもよい。また、洗濯ドラム槽２４を直接に回転させるようにしたが、乾燥時間を短縮するため、洗濯ドラム槽を密閉構造の箱体内に収容して正逆回転させるようにしてもよい。
【００２６】
【発明の効果】
以上、説明したところから明らかなように、本発明によれば、除湿器から排出される水を研磨ペレットの洗濯水として有効に利用するようにしたことにより、水道管や排水管の配管等大掛かりな設備工事を一切行うことなく汚れた研磨ペレットを洗濯によりきれいに洗って清浄化することができて設備コストを著しく軽減し得るパチンコ球揚送研磨機における研磨ペレット洗濯装置を提供できる。
【図面の簡単な説明】
【図１】本発明の一実施例の形態に係る研磨ペレット洗濯装置を備えたパチンコ球揚送研磨機の一部を断面にして示す正面図である。
【図２】研磨ペレット洗濯装置部分を拡大して示す断面図である。
【図３】洗濯ドラム槽の拡大断面図である。
【符号の説明】
２          揚送パイプ
８          選別装置
１４        循環パイプ
１７        集塵ブロワ（乾燥手段）
２０        除湿器
２１        貯水タンク
２２        ペレット貯留部
２４        洗濯ドラム槽
２５        ポンプ装置
【図１】
0004036910.tif 000002
【図２】
0004036910.tif 000003
【図３】
0004036910.tif 000004